(57)【要約】      （修正有）【課題】ＰＳＴＮ回線１ファクス使用中であってもＩＰファクス送信が可能なファクシミリ装置を提供する。【解決手段】通信呼制御プロトコルとしてＳＩＰを利用してＴ．３８のＩＰファクス通信を行うファクシミリ装置において、前記ファクシミリ装置は更に複数回線のＰＳＴＮファクス回線を有し、前記Ｔ．３８を用いたＩＰファクス送信が失敗した場合、ＰＳＴＮ回線２オプションボードが搭載されていることを自動判別し、オプションボードが搭載されている場合はＰＳＴＮ回線２へフォールバックする。【選択図】図４
2013121153.tif 000002
【特許請求の範囲】
【請求項１】
通信呼制御プロトコルとしてＳＩＰ（Ｓｅｓｓｉｏｎ  Ｉｎｉｔｉａｔｉｏｎ  Ｐｒｏｔｏｃｏｌ）を用いる通信端末を具備し、前記ＳＩＰを利用してＴ．３８のＩＰファクス通信（４００９）を行うファクシミリ装置であって、前記ファクシミリ装置は更に複数回線のＰＳＴＮファクス回線を有し、複数回線分のＰＳＴＮファクス通信を行えるファクシミリ装置において、
前記Ｔ．３８を用いたＩＰファクス送信が失敗した場合、ＰＳＴＮ回線を用いたＰＳＴＮファクス通信へフォールバックするＰＳＴＮ回線（４００８、４０１０）を選択可能なファクシミリ装置。
【請求項２】
ＰＳＴＮ回線２（４０１０）オプションボード（４００１）が搭載されていることを自動判別し、オプションボード（４００１）が搭載されている場合は、ＰＳＴＮ回線２（４０１０）へフォールバックすることを特徴とする請求項１に記載のファクシミリ装置。
【請求項３】
ＩＰファクス送信を依頼された場合、ＩＰファクス回線（４００９）か、ＰＳＴＮファクス回線１（４００８）が使用中であれば、ＩＰファクス回線（４００９）か、ＰＳＴＮファクス回線１（４００８）が開放されるまで待機し、ＩＰファクス送信を行うことを特徴とする請求項１に記載のファクシミリ装置。
【請求項４】
前記Ｔ．３８を用いたＩＰファクス送信（４００９）が失敗した場合、ＰＳＴＮ回線（４００８、４０１０）を用いたＰＳＴＮファクス通信へフォールバックする旨をユーザに警告することを特徴とする請求項１に記載のファクシミリ装置。
【発明の詳細な説明】
【技術分野】
【０００１】
本発明は通信呼制御プロトコルとしてＳｅｓｓｉｏｎ  Ｉｎｉｔｉａｔｉｏｎ  Ｐｒｏｔｏｃｏｌ（以下ＳＩＰとする）用いた呼制御を行い、この呼制御に基づいて画像データの通信を行うファクシミリ装置に関するものである。
【背景技術】
【０００２】
ＩＰファクスとＰＳＴＮ（アナログ）回線ファクス（便宜上ＰＳＴＮ回線１とする）を備えたファクシミリ装置において、ＩＰファクスでの画像送信が失敗した際に、ＰＳＴＮファクスで再送信を行うフォールバック機能を有したファクシミリ装置が存在する（特許文献１を参照）。
【０００３】
ところで、近年では、ファクシミリ装置の小型化、コストダウンによって、メモリ容量やＣＰＵ速度が制限されている。このような制限により、ソフトコーデックを複数同時に動作させるリソースが確保できない、あるいは、ハードコーデックを複数搭載することができない、といった問題があり、ＩＰファクスとＰＳＴＮ回線１ファクスを排他機能とするファクシミリ装置が増えている。
【０００４】
ＩＰファクス中はＰＳＴＮ回線１ファクスを使用できない。あるいはＰＳＴＮ回線ファクス使用中はＩＰファクスを使用できないということが問題である。
【先行技術文献】
【特許文献】
【０００５】
【特許文献１】特開２００８−１８７２６１号公報
【発明の概要】
【発明が解決しようとする課題】
【０００６】
上述した背景的要因により、ＩＰファクスとＰＳＴＮ回線１ファクスを排他機能とするファクシミリ装置が増えている。なお、ＩＰファクス中はＰＳＴＮ回線１ファクスを使用できない。あるいはＰＳＴＮ回線１ファクス使用中はＩＰファクスを使用できない。
【０００７】
オプションパーツであるＰＳＴＮ多回線ファクスボードには、別個のコーデック、メモリ、ＣＰＵが搭載されており、ＩＰファクス使用中もオプションのＰＳＴＮ回線ファクス（便宜上ＰＳＴＮ回線２とする）は使用することが可能である。
【０００８】
しかし、従来技術では、ＩＰファクス送信が失敗した場合、前記オプションのＰＳＴＮ回線２を使用せず、ＩＰファクスと排他であるオプションパーツでないＰＳＴＮ回線１を使用してＰＳＴＮファクス送信していた。しかし、この手法だと、ＰＳＴＮ回線１ファクス使用中のため、ＩＰファクス送信ができないということが課題であった。
【課題を解決するための手段】
【０００９】
そこで、本発明におけるファクシミリ装置は、通信呼制御プロトコルとしてＳＩＰ（Ｓｅｓｓｉｏｎ  Ｉｎｉｔｉａｔｉｏｎ  Ｐｒｏｔｏｃｏｌ）を用いる通信端末を具備し、前記ＳＩＰを利用してＴ．３８のＩＰファクス通信（４００９）を行うファクシミリ装置であって、前記ファクシミリ装置は更に複数回線のＰＳＴＮファクス回線を有し、複数回線分のＰＳＴＮファクス通信を行えるファクシミリ装置において、前記Ｔ．３８を用いたＩＰファクス送信が失敗した場合、ＰＳＴＮ回線を用いたＰＳＴＮファクス通信へフォールバックするＰＳＴＮ回線（４００８、４０１０）を選択可能とすることを特徴とする。
【発明の効果】
【００１０】
本発明によれば、ＩＰファクス送信失敗時にフォールバックする先をＰＳＴＮ回線１ファクスではなく、ＰＳＴＮ回線２ファクスにすることで、ＰＳＴＮ回線２ファクスでデータ送信中でもＩＰファクスでの送信あるいは受信が可能となる。
【００１１】
また、従来は、ユーザがファクス送信を行おうとした際に、ＰＳＴＮ回線１ファクスが使用中である場合、ＩＰファクスが使用できないため、ＰＳＴＮ回線２ファクスを使用していが、本発明によれば、ユーザがファクス送信を行おうとした際に、ＰＳＴＮ回線１ファクスが使用中である場合はＰＳＴＮ回線２ファクスを使用せずに、ＰＳＴＮ回線１ファクスが終了するまで待ってから、ＩＰファクスによるファクス送信を行う
【図面の簡単な説明】
【００１２】
【図１】本実施形態におけるＳＩＰ−ＦＡＸシステムの構成を表す図である。
【図２】図１におけるＭＦＰ−Ｘ４００２の構成を表すブロック図である。
【図３】ユーザがＩＰファクス送信を指示した際に、ＩＰファクス回線あるいはＰＳＴＮ回線１が使用中である場合に表示される画面例である。
【図４】ファクス送信がユーザから指示された場合にＭＦＰ−Ｘ４００２で実行される処理を説明するためのフローチャートである。
【発明を実施するための形態】
【００１３】
以下、本発明を実施するための形態について図面を用いて説明する。
【００１４】
図１は、本実施形態におけるＳＩＰでの通信システムの構成を表す図である。図１において４０００はＩＰネットワーク網であり、Ｉｎｔｅｒｎｅｔ  Ｐｒｏｔｏｃｏｌによる通信を行う機器が接続される。４０００は構内ＩＰネットワーク網、又は、ＮＴＴのＮＧＮネットワーク網である。
【００１５】
４００２は少なくともＳＩＰでの呼制御機能とＦＡＸなどのデータ通信プロトコルを持つ通信端末である。本実施形態においては、通信機能のほかにコピー、プリンタ機能を有する多機能複合端末（ＭＦＰ−Ｘ）としている。また、後述するが、ＭＦＰ−Ｘ４００２はＰＳＴＮ回線に接続することも可能である。４００３は第２の複合端末ＭＦＰ−Ａであり、ＭＦＰ−Ｘと同様にＩＰネットワーク網４０００に接続されている。４００４はＳＩＰサーバであり、図示は省略するが、リダイレクトサーバ、プロキシサーバ、登録サーバ、ロケーションサーバから構成される。ＳＩＰサーバはユーザ端末の登録管理、ユーザの認証、電話／ＦＡＸ番号からＩＰアドレスへの変換、呼制御シーケンスの制御、接続先へのルーティングなどを行う。ＭＦＰ−Ｘ、ＭＦＰ−Ａ及びＳＩＰサーバはＩＰネットワーク網４０００に接続される。
【００１６】
また、４００６はＰＳＴＮ網であり、ＰＳＴＮ回線を持つＧ３ＦＡＸであるＭＦＰ−Ｂや、同様にＰＳＴＮ回線に接続する能力を持つＭＦＰ−Ｘ４００２が接続される。ＭＦＰ−Ｘ４００２は本体にＰＳＴＮ回線１接続（４００８）手段とＩＰファクス回線接続（４００９）手段を持つ。またオプションボード４００１を接続することにより、ＰＳＴＮ回線２（４０１０）に接続することも可能となる。
【００１７】
図２は図１におけるＭＦＰ−Ｘ４００２の構成を表すブロック図である。同図において、２００から２１５まではＭＦＰ−Ｘ４００２本体における各構成を示し、２１６から２２１まではＭＦＰ−Ｘに接続するオプションボード４００１の構成を示す。
【００１８】
ＭＦＰ−Ｘ４００２本体とオプションボード４００１は２２２オプションボード接続バスにより接続されており相互伝達が可能である。２１５はＭＦＰ−Ｘの本体、２２１はオプションボード４００１の構成を示している。
【００１９】
同図において２０１はＣＰＵ１であり、ＲＯＭ２０８に格納された制御プログラムに基づいてＭＦＰ−Ｘ４００２における各デバイスを制御する。２０３は表示／操作部であり、その表示画面には、例えばウインドウ、アイコン、メッセージ、メニューその他のユーザインターフェース情報が表示される。表示／操作部２０３は、図示は省略するが、ユーザがコピー、ＦＡＸ、プリンタ操作を行うための各種キーや、表示画面上のアイコン、メニューなどを操作する画面ポインティングデバイスから構成される。２０４はスキャナ部であり、原稿の読み取りを行う。２０５は印刷部であり、ＲＡＭ２０９やＨＤＤ（ハードディスクドライブ）２１０に保存した印刷データの印刷を行う。
【００２０】
２０８はＲＯＭ１であり、各種制御プログラムやデータを保持する。２０９はＲＡＭ１でありＣＰＵ２０１のワーク領域、エラー処理時のデータの退避領域、制御プログラムのロード領域などを有する。
【００２１】
２１０はＨＤＤであり、各種制御プログラムや印刷データを保存する。２１３はネットワークＩ／Ｆ部であり、図１におけるＩＰネットワーク網４０００に接続され、ＳＩＰサーバ４００４やＭＦＰ−Ａ４００３とＩＰネットワーク４０００を介して通信を行うことができる。ＳＩＰ−ＦＡＸ用の通信もネットワークＩ／Ｆ部２１３で行われる。２１４はＴ．３８プロトコル作成／解析部でＩＴＵ−Ｕ勧告Ｔ．３８プロトコルによるファクシミリ伝送情報を生成し、また受信したプロトコルからファクシミリ伝送情報を取り出す機能を有する。２０６はＩＰパケット作成／解析部であり、ＩＴＵ−Ｕ勧告Ｔ．３８プロトコルをＩＰパケットにマッピングし、また受信したＩＰパケットからＩＴＵ−Ｕ勧告Ｔ．３８プロトコルを取り出す機能を有する。２０７は画像変換制御部１であり、ＦＡＸ通信する画像の圧縮伸張や変倍、線密度変換を行う。２００は、ＰＳＴＮ  Ｉ／Ｆ部１であり、図１におけるＰＳＴＮ回線４００８によってＰＳＴＮ網４００６に接続され、Ｇ３ファクスＭＦＰ−Ｂ４００５と通信をおこなうことができる。
【００２２】
同図において２１６はＣＰＵ２であり、ＲＯＭ２１８に格納された制御プログラムに基づいてＭＦＰ−Ｘ４００２に接続されたオプションボード４００１における各デバイスを制御する。２１８はＲＯＭ２であり、各種制御プログラムやデータを保持する。２１９はＲＡＭ２でありＣＰＵ２  ２１６のワーク領域、エラー処理時のデータの退避領域、制御プログラムのロード領域などを有する。２１７は画像変換制御部２であり、ＦＡＸ通信する画像の圧縮伸張や変倍、線密度変換を行う。２２０は、ＰＳＴＮ  Ｉ／Ｆ部２であり、図１におけるＰＳＴＮ回線２  ４０１０によってＰＳＴＮ網４００６に接続され、Ｇ３ファクスＭＦＰ−Ｂ４００５と通信をおこなうことができる。
【００２３】
同図において、画像変換部１はソフトウェアあるいはハードウェアである。ソフトウェアである場合は、ＣＰＵ２０１の能力が十分高ければ、ＩＰファクス回線４００９と、ＰＳＴＮ回線４００８の送受信画像を同時に変換することが可能であるが、ＣＰＵ２０１の能力が十分でない場合は、両回線の画像を同時に変換していては、時間が掛かりすぎ、ＦＡＸの勧告時間を守ることができない。画像変換部１がハードウェアである場合も同様である。これはＲＡＭ２０９の容量にも同様に言える。
【００２４】
しかし、同図において、オプションボード４００１を接続した場合には、オプションボード４００１にＣＰＵ２  ２１６、ＲＡＭ２  ２１９、画像変換制御部２  ２１７が搭載されているため、ＩＰファクス回線４００９と、ＰＳＴＮ回線２  ４０１０は同時に使用することが可能である。
【００２５】
図３は本実施形態における問い合わせ画面の図である。表示／操作部２０３に表示される内容であり、ユーザがＩＰファクス送信を指示した際に、ＩＰファクス回線（４００９）、あるいはＰＳＴＮ回線１（４００８）が使用中である場合、オプションボード（４００１）が接続されていればＰＳＴＮ回線２（４０１０）でのファクス送信を行うことになるが、その前に、本図が表示部２０３に表示される。
【００２６】
６０１は問い合わせ画面、６０２は「すぐに送信」ボタン、６０３は「ＩＰファクスが使用できるまで待機」ボタンである。ユーザにより、すぐに送信ボタン（６０２）が押下された場合は、ＰＳＴＮ回線２（４０１０）によるファクス送信が行われる。ユーザにより、ＩＰファクスが使用できるまで待機ボタン（６０３）が押下された場合は、ＩＰファクス回線（４００９）あるいはＰＳＴＮ回線１（４００８）が開放され、ＩＰファクスが使用できる状態になるまで待機してからＩＰファクスでのファクス送信を行う。
【００２７】
図４は本実施例におけるフローチャートである。
【００２８】
ファクス送信がユーザから指示された場合、まずはＳ８０１において、ＩＰファクス回線（４００９）でのファクス送信を試みる。Ｓ８０２において、ＩＰファクス回線（４００９）が使用可能であるか否かの判別が行われ、もしＩＰファクス回線（４００９）が使用不可能であった場合、後述のＳ８０８へ移行する。ＩＰファクス回線（４００９）が使用可能であれば、Ｓ８０３においてＩＰファクス回線（４００９）でファクス送信を試みる。ＩＰファクスの送信が成功した場合は、Ｓ８０４にて、Ｙとなりファクス送信終了となる。Ｓ８０４にてＩＰファクス送信が失敗した場合、Ｓ８０５のＰＳＴＮフォールバックへ移行する。
【００２９】
Ｓ８０５にて、オプションボード（４００１）の有無を確認する。オプションボード（４００１）が接続されている場合は、Ｓ８０７へ移行し、ＰＳＴＮ回線２（４０１０）でのＰＳＴＮファクス送信を行う。オプションボード（４００１）が接続されていない場合は、Ｓ８０６へ移行し、ＰＳＴＮ回線１（４００９）でのＰＳＴＮファクス送信を行う。
【００３０】
前述のＳ８０２において、ＩＰファクス回線が使用不可能である場合、Ｓ８０８でオプションボード（４００１）が接続されているかの判定を行う。オプションボード（４００１）が接続されていなければ、ＩＰファクス回線（４００９）、ＰＳＴＮ回線（４００８）両方のファクス送信が不可能であるため、回線が開放されるまでＳ８０９で待機する。Ｓ８０８において、オプションボード（４００１）が接続されている場合は、オプションボード（４００１）上のＰＳＴＮ回線２（４０１０）によりＰＳＴＮファクス送信が可能であるが、Ｓ８１０において、図３で前述したとおりのユーザ問い合わせを行い、Ｓ８１１において、「ＩＰファクスが使用できるまで待機ボタン」６０３が押下された場合は、Ｓ８０９の待機へ進み、「すぐに送信ボタン」６０２が押下された場合は、オプションボード（４００１）のＰＳＴＮ回線２（４０１０）によるＰＳＴＮファクス送信を行う。
【００３１】
ファクス送信が完了すればＦＡＸ送信終了となる。
【符号の説明】
【００３２】
４０００  ＩＰネットワーク網
４００２  ＭＦＰ−Ｘ
４００３  ＭＦＰ−Ａ
４００４  ＳＩＰサーバ
【図１】
2013121153.tif 000003
【図２】
2013121153.tif 000004
【図３】
2013121153.tif 000005
【図４】
2013121153.tif 000006